【手続補正書】
【提出日】平成27年12月25日(2015.12.25)
【手続補正１】
【補正対象書類名】特許請求の範囲
【補正対象項目名】全文
【補正方法】変更
【補正の内容】
【特許請求の範囲】
【請求項１】
ビデオデータの第１のクロマ成分用の変換係数のアレイに関連付けられた第１の分割フラグの値を表すエントロピー符号化されたデータを受信することと、前記第１の分割フラグの前記値が、前記第１のクロマ成分用の変換係数の前記アレイがより小さい変換ブロックに分割されるかどうかを示し、前記第１の分割フラグは、前記第１のクロマ成分のための４分木分解構造に関連付けられており、
前記ビデオデータの第２の成分用の変換係数のアレイに関連付けられた第２の分割フラグの値に少なくとも部分的に基づいて、前記第１の分割フラグの前記値を表す前記エントロピー符号化されたデータ用のコンテキストを決定することと、前記ビデオデータの前記第２の成分は、前記ビデオデータの第２のクロマ成分または前記ビデオデータのルーマ成分のうちの１つを備え、前記第２の分割フラグの前記値は、前記ビデオデータの前記第２の成分用の変換係数の前記アレイが、より小さい変換ブロックに分割されるかどうかを示し、前記第２の分割フラグは、前記ビデオデータの前記第２の成分のための４分木分解構造に関連付けられており、前記ビデオデータの前記第１のクロマ成分のための前記４分木分解構造は、前記ビデオデータの前記第２の成分の前記４分木分解構造から独立しており、
コンテキスト適応型バイナリ算術コーディングＣＡＢＡＣを使用して、前記決定されたコンテキストに基づいて前記第１の分割フラグの前記値を表す前記データをエントロピー復号することと、
前記第１の分割フラグの前記値に基づいてビデオデータを復元することとを備える、ビデオデータを復号する方法。
【請求項２】
ビデオデータの前記第２のクロマ成分用の変換係数の対応するアレイが、前記ビデオデータに関連するブロックサイズ、ピクチャタイプ、ブロック区分、または動き情報のうちの１つに少なくとも部分的に基づいて、より小さい変換ブロックに分割されるかどうかを、前記第１の分割フラグの前記値がさらに示すかどうかを判定することをさらに備える、請求項１に記載の方法。
【請求項３】
ビデオデータの前記第２のクロマ成分用の変換係数の対応するアレイがより小さい変換ブロックに分割されるかどうかを、前記第１の分割フラグの前記値がさらに示す、請求項１に記載の方法。
【請求項４】
ビデオデータの前記第２の成分がビデオデータの前記第２のクロマ成分である、請求項１に記載の方法。
【請求項５】
ビデオデータの前記第２の成分がビデオデータの前記ルーマ成分である、請求項１に記載の方法。
【請求項６】
前記コンテキストを決定することは、ビデオデータの前記第２のクロマ成分用の変換係数のアレイに関連付けられた第３の分割フラグの値に少なくとも部分的に基づく前記コンテキストを決定することをさらに備える、請求項５に記載の方法。
【請求項７】
ビデオデータを復元することが、変換ブロックに逆変換を実行してビデオデータの前記第１のクロマ成分用の対応する残差値を生成することを含む、請求項１に記載の方法。
【請求項８】
ビデオデータの第１のクロマ成分用の変換係数のアレイに関連付けられた第１の分割フラグの値を表すエントロピー符号化されたデータを受信するための手段と、前記第１の分割フラグの前記値が、前記第１のクロマ成分用の変換係数の前記アレイがより小さい変換ブロックに分割されるかどうかを示し、前記第１の分割フラグは、前記第１のクロマ成分のための４分木分解構造に関連付けられており、
前記ビデオデータの第２の成分用の変換係数のアレイに関連付けられた第２の分割フラグの値に少なくとも部分的に基づいて、前記第１の分割フラグの前記値を表す前記エントロピー符号化されたデータ用のコンテキストを決定するための手段と、前記ビデオデータの前記第２の成分は、前記ビデオデータの第２のクロマ成分またはビデオデータのルーマ成分のうちの１つを備え、前記第２の分割フラグの前記値は、前記ビデオデータの前記第２の成分用の変換係数の前記アレイが、より小さい変換ブロックに分割されるかどうかを示し、前記第２の分割フラグは、前記第２の成分のための４分木分解構造に関連付けられており、前記ビデオデータの前記第１のクロマ成分のための前記４分木分解構造は、前記ビデオデータの前記第２の成分のための前記４分木分解構造からは独立しており、
コンテキスト適応型バイナリ算術コーディング（ＣＡＢＡＣ）を使用して、前記決定されたコンテキストに基づいて前記第１の分割フラグの前記値を表す前記データをエントロピー復号するための手段と、
前記第１の分割フラグの前記値に基づいてビデオデータを復元するための手段とを備える、ビデオデータを復号するための装置。
【請求項９】
第１の分割フラグを生成することと、前記第１の分割フラグの値が、ビデオデータの第１のクロマ成分用の変換係数のアレイがより小さい変換ブロックに分割されるかどうかを示し、前記第１の分割フラグは、前記第１のクロマ成分のための４分木分解構造に関連付けられており、
前記第１の分割フラグ用のコンテキストを決定することと、前記コンテキストが、前記ビデオデータの第２の成分用の変換係数のアレイに関連付けられた第２の分割フラグの値に少なくとも部分的に基づき、前記ビデオデータの前記第２の成分は、前記ビデオデータの第２のクロマ成分または前記ビデオデータのルーマ成分のうちの１つを備え、前記第２の分割フラグの前記値は、ビデオデータの前記第２の成分用の変換係数の前記アレイが、より小さい変換ブロックに分割されるかどうかを示し、前記第２の分割フラグは、前記第２の成分のための４分木分解構造に関連付けられており、前記ビデオデータの前記第１のクロマ成分のための前記４分木分解構造は、前記ビデオデータの前記第２の成分のための前記４分木分解構造からは独立しており、
コンテキスト適応型バイナリ算術コーディング（ＣＡＢＡＣ）を使用して、前記決定されたコンテキストに基づいて前記第１の分割フラグをエントロピー符号化することと、
前記第１の分割フラグの前記値を表すエントロピー符号化されたデータをビットストリームの一部として出力することとを備える、ビデオデータを符号化する方法。
【請求項１０】
ビデオデータの前記第２のクロマ成分用の変換係数の対応するアレイが、前記ビデオデータに関連するブロックサイズ、ピクチャタイプ、ブロック区分、または動き情報のうちの１つに少なくとも部分的に基づいて、より小さい変換ブロックに分割されるかどうかを、前記第１の分割フラグの前記値がさらに示すかどうかを判定することをさらに備える、請求項９に記載の方法。
【請求項１１】
ビデオデータの前記第２のクロマ成分用の変換係数の対応するアレイがより小さい変換ブロックに分割されるかどうかを、前記第１の分割フラグの前記値がさらに示す、請求項９に記載の方法。
【請求項１２】
ビデオデータの前記第２の成分がビデオデータの前記ルーマ成分である、請求項９に記載の方法。
【請求項１３】
前記コンテキストを決定することは、ビデオデータの前記第２のクロマ成分用の変換係数のアレイに関連付けられた第３の分割フラグの値に少なくとも部分的に基づいて前記コンテキストを決定することをさらに備える、請求項１２に記載の方法。
【請求項１４】
実行されたとき、１つまたは複数のプロセッサに、請求項１乃至７または９乃至１３の何れか１つに記載の方法を実行させる命令を記憶した非一時的コンピュータ可読媒体。
【請求項１５】
第１の分割フラグを生成するための手段と、前記第１の分割フラグの値が、ビデオデータの第１のクロマ成分用の変換係数のアレイがより小さい変換ブロックに分割されるかどうかを示し、前記第１の分割フラグは、前記第１のクロマ成分のための４分木分解構造に関連付けられており、
前記第１の分割フラグ用のコンテキストを決定するための手段と、前記コンテキストが、前記ビデオデータの第２の成分用の変換係数のアレイに関連付けられた第２の分割フラグの値に少なくとも部分的に基づき、ビデオデータの前記第２の成分は、前記ビデオデータの第２のクロマ成分または前記ビデオデータのルーマ成分のうちの１つを備え、前記第２の分割フラグの前記値は、前記ビデオデータの前記第２の成分用の変換係数の前記アレイが、より小さい変換ブロックに分割されるかどうかを示し、前記第２の分割フラグは、前記ビデオデータの前記第２の成分のための４分木分解構造に関連付けられており、前記ビデオデータの前記第１のクロマ成分のための前記４分木分解構造は、前記ビデオデータの前記第２の成分のための４分木分解構造からは独立しており、
コンテキスト適応型バイナリ算術コーディング（ＣＡＢＡＣ）を使用して、前記決定されたコンテキストに基づいて前記第１の分割フラグをエントロピー符号化するための手段と、
前記第１の分割フラグの前記値を表すエントロピー符号化されたデータをビットストリームの一部として出力するための手段とを備える、ビデオデータを符号化するための装置。